(57)【要約】【課題】基板をフロート内部へ組込むことが容易なフロート内部への基板取付方法を提供する。【解決手段】取付紐を移動可能に支持する紐支持部を有する取付具を、紐支持部がフロート内部に位置するようにフロートに固定するステップと、少なくとも通信用部品が搭載された基板に筒状部材を固定するステップと、紐支持部で折り返して支持された取付紐の両端部のそれぞれが、筒状部材の内部を同一方向に通り抜けて更にフロートに設けたフロート開口部から引き出され、その取付紐の両端部のうちの一端部に抜け防止構造を形成した状態を形成するステップと、取付紐の両端部のうちの他端部を取付具から離れる方向に引く動作により、基板を筒状部材と共に取付具側に移動させてフロート内部に位置させるステップと、フロート内部に位置した基板をその位置で固定させるステップとを有するものである。【選択図】図３
2018031653.tif 000002
【特許請求の範囲】
【請求項１】
取付紐を移動可能に支持する紐支持部を有する取付具を、前記紐支持部がフロート内部に位置するように前記フロートに固定するステップと、
少なくとも通信用部品が搭載された基板に筒状部材を固定するステップと、
前記紐支持部で折り返して支持された前記取付紐の両端部のそれぞれが、前記筒状部材の内部を同一方向に通り抜けて更に前記フロートに設けたフロート開口部から引き出され、その引き出された前記取付紐の両端部のうちの一端部に抜け防止構造を形成した状態を形成するステップと、
前記取付紐の両端部のうちの他端部を前記取付具から離れる方向に引く動作により、前記基板を前記筒状部材と共に前記取付具側に移動させて前記フロート内部に位置させるステップと、
前記フロート内部に位置した前記基板をその位置で固定させるステップと
を有するフロート内部への基板取付方法。
【請求項２】
前記フロートは前記取付紐の前記他端部が固定される固定部を有し、
前記フロート内部に位置した前記基板をその位置で固定させるステップは、
前記抜け防止構造を形成していない前記取付紐の前記他端部を、前記固定部に固定するステップを有する請求項１記載のフロート内部への基板取付方法。
【請求項３】
前記固定部は前記フロート開口部の周囲に設けられている請求項２記載のフロート内部への基板取付方法。
【請求項４】
前記固定部は穴である請求項３記載のフロート内部への基板取付方法。
【請求項５】
前記基板に前記筒状部材を固定するステップは、
前記基板が使用時に水平姿勢になるように前記紐支持部の位置と前記フロートの前記固定部の位置とに基づいた角度で、前記基板に対して前記筒状部材を固定するステップである請求項２〜請求項４の何れか一項に記載のフロート内部への基板取付方法。
【請求項６】
前記抜け防止構造は前記筒状部材の内側開口部の直径よりも大きい請求項１〜請求項５の何れか一項に記載のフロート内部への基板取付方法。
【発明の詳細な説明】
【技術分野】
【０００１】
本発明は、フロート内部への基板取付方法に関するものである。
【背景技術】
【０００２】
従来より、海洋における観測ブイに用いられるブイ用フロートとして、アンテナ一体型のＧＰＳ（Ｇｌｏｂａｌ  Ｐｏｓｉｔｉｏｎｉｎｇ  Ｓｙｓｔｅｍ）基板を展張式のフロート内部に備えたものがある（例えば、特許文献１参照）。
【先行技術文献】
【特許文献】
【０００３】
【特許文献１】特開２００５−３２８１３９号公報
【発明の概要】
【発明が解決しようとする課題】
【０００４】
特許文献１では、フロート内部にＧＰＳ基板を設置する方法について明かにされていないが、フロートに形成されたフロート開口部は一般的に間口が狭い。このため、フロート開口部を介してフロート内部にＧＰＳ基板を組込む作業は困難である。よって、例えば、ＧＰＳ基板をフロート内部に組込むためにフロートを裏返しにして取付作業を行う等の手間がかかることが考えられる。
【０００５】
本発明はこのような点に鑑みなされたもので、基板をフロート内部へ組込むことが容易なフロート内部への基板取付方法を提供することを目的とする。
【課題を解決するための手段】
【０００６】
本発明に係るフロート内部への基板取付方法は、取付紐を移動可能に支持する紐支持部を有する取付具を、紐支持部がフロート内部に位置するようにフロートに固定するステップと、少なくとも通信用部品が搭載された基板に筒状部材を固定するステップと、紐支持部で折り返して支持された取付紐の両端部のそれぞれが、筒状部材の内部を同一方向に通り抜けて更にフロートに設けたフロート開口部から引き出され、その引き出された取付紐の両端部のうちの一端部に抜け防止構造を形成した状態を形成するステップと、取付紐の両端部のうちの他端部を取付具から離れる方向に引く動作により、基板を筒状部材と共に取付具側に移動させてフロート内部に位置させるステップと、フロート内部に位置した基板をその位置で固定させるステップとを有するものである。
【発明の効果】
【０００７】
本発明によれば、取付具に通した取付紐をフロート開口部の外側から引っ張ることで、基板をフロート内部の取付位置に近づけて固定するようにしたので、基板をフロート内部へ組込むことを容易に行える。
【図面の簡単な説明】
【０００８】
【図１】本発明の実施の形態に係るブイ用フロートの概略構成図である。
【図２】本発明の実施の形態に係るブイ用フロートのフロート内部へのＧＰＳ基板の取付方法の工程図（１／２）である。
【図３】本発明の実施の形態に係るブイ用フロートのフロート内部へのＧＰＳ基板の取付方法の工程図（２／２）である。
【図４】図２の（３）の工程の概略斜視図である。
【発明を実施するための形態】
【０００９】
図１は、本発明の実施の形態に係るブイ用フロートの概略構成図である。
ブイ用フロート１は、海面上に浮上させて浮遊するフロート１０と、ＧＰＳ基板２０と、ＧＰＳ基板２０をフロート１０内部に固定するための固定装置３０とを備えている。
【００１０】
フロート１０は、例えばビニールなどの樹脂シートで構成され、保管時には折りたたまれ、使用時に展張して用いられる。フロート１０の下面にはフロート開口部１１が設けられ、このフロート開口部１１を介してフロート１０内部にＧＰＳ基板２０等が設置される。ＧＰＳ基板２０は、ＧＰＳアンテナ部等が搭載されたアンテナ一体型の基板であり、フロート内部に固定装置３０で固定されている。
【００１１】
固定装置３０は、取付紐３１と、ＧＰＳ基板２０をフロート１０内部に取り付けるための取付具３２と、例えば樹脂で構成された筒状部材３３と、筒状部材３３をＧＰＳ基板２０に固定するための固定部材３４と、コブ３５とを有する。取付具３２は、ここでは例えば樹脂で構成された板状部材で構成され、取付紐３１を折り返して移動可能に支持する紐支持部３２ａを有する。紐支持部３２ａは、ここでは穴で形成されているが、穴に限らず、取付紐３１を移動可能に支持できる構成であればよく、例えばフック又は滑車などでもよい。固定部材３４は、例えば結束バンドとしてもよいし、接着剤等としてもよい。コブ３５については後述する。固定装置３０によるＧＰＳ基板２０のフロート１０内部への取付方法については以下で説明する。
【００１２】
図２及び図３は、本発明の実施の形態に係るブイ用フロートのフロート内部へのＧＰＳ基板の取付方法の工程図である。図４は、図２の（３）の工程の概略斜視図である。以下、図２〜図４を参照してフロート１０内部へのＧＰＳ基板２０の取付方法について説明する。
【００１３】
（１）取付具３２の紐支持部３２ａに取付紐３１を通す。
【００１４】
（２）取付紐３１が通された状態の取付具３２を、フロート１０に形成された取付具取付用の穴（図示せず）に、紐支持部３２ａがフロート１０内部に位置するようにして差し込み、差し込んだ状態で取付具３２をフロート１０に固定する。この固定方法は、例えば溶着により行う。そして、取付紐３１の両端部３１ａ、３１ｂをフロート開口部１１からフロート１０外へ引き出した状態とする。
【００１５】
（３）ＧＰＳ基板２０に設けた穴２０ａに筒状部材３３を通し、例えば結束バンド等の固定部材３４で筒状部材３３をＧＰＳ基板２０に固定する。このとき、筒状部材３３は後述の（６）の工程で、ＧＰＳ基板２０が水平になるようにＧＰＳ基板２０に対して傾斜させて固定する。
【００１６】
（４）フロート開口部１１から外部に引き出されている取付紐３１の両端部３１ａ、３１ｂを、ＧＰＳ基板２０に固定された筒状部材３３の内側開口部に同一方向に通し、筒状部材３３から通り抜けさせる。
【００１７】
（５）筒状部材３３を通り抜けた取付紐３１の両端部３１ａ、３１ｂのうちの一方（以下、取付紐３１の一端部３１ａという）に、筒状部材３３の内側開口部の直径よりも大きいコブ３５を作り、筒状部材３３が取付紐３１から抜け落ちないようにする。コブ３５は、取付紐３１の一端部３１ａを結んで形成した結び目で構成してもよいし、取付紐３１の一端部３１ａに例えば玉部材を取り付ける等して構成してもよい。コブ３５は、本発明の抜け防止構造に相当する。
【００１８】
以上により、取付紐３１の両端部のうちの他方（以下、取付紐３１の他端部３１ｂ）側から見ると、取付紐３１は、筒状部材３３→取付具３２の紐支持部３２ａ→筒状部材３３の順に通され、そして、取付紐３１の一端部３１ａにコブ３５が形成されて筒状部材３３が下方からコブ３５によって支持された状態が形成される。つまり、ＧＰＳ基板２０が筒状部材３３を介して取付紐３１に連結された状態となっている。
【００１９】
そして、取付具３２を片手で保持しつつ、もう一方の手で取付紐３１の他端部３１ｂを矢印方向に引っ張る。これにより、ＧＰＳ基板２０が筒状部材３３と共にフロート開口部１１からフロート１０内部へ挿入され、取付具３２に近づく。
【００２０】
（６）ＧＰＳ基板２０が取付位置まで到達したら、取付紐３１の他端部３１ｂをフロート開口部１１の周囲に設けた固定部１２に固定する。これにより、ＧＰＳ基板２０をフロート１０内部に固定した状態とする。固定部１２は、ここではフロート開口部１１の周囲に設けた穴で構成され、穴に取付紐３１の他端部３１ｂを結んで固定する。ＧＰＳ基板２０をフロート１０内部に固定する方法は上記の方法に限定するものではない。他の方法として例えば、筒状部材３３の取付具３２との接触部分に接着剤を塗装しておき、筒状部材３３を取付具３２に固定することで、ＧＰＳ基板２０をフロート１０内部に固定するようにしてもよい。また、ここでは、筒状部材３３が取付具３２に接した状態で固定された形態を示したが、必ずしも接していなくてもよく、要するに、ＧＰＳ基板２０がフロート１０内部に位置し、その位置で固定されればよい。
【００２１】
なお、ここでは、取付具３２の紐支持部３２ａとフロート１０に設けた固定部１２とを結ぶ直線が水平面に対して傾斜する位置関係にあることから、筒状部材３３をＧＰＳ基板２０に対して傾斜させて固定している。しかし、紐支持部３２ａとフロート１０に設けた取付紐３１の固定部１２とを結ぶ直線が重力方向に延びる直線であれば、筒状部材３３をＧＰＳ基板２０に対して垂直に固定すればよい。要するに、筒状部材３３とＧＰＳ基板２０との位置関係は以下の関係にあればよい。すなわち、フロート１０が使用時の姿勢にある状態でＧＰＳ基板２０が水平になるように、言い換えればＧＰＳ基板２０が使用時に水平姿勢となるように紐支持部３２ａの位置とフロート１０の固定部１２の位置とに基づいた角度で、筒状部材３３がＧＰＳ基板２０に固定されていればよい。
【００２２】
＜効果＞
以上説明したように、本実施の形態によれば、取付具３２に通した取付紐３１をフロート１０のフロート開口部１１の外側から引っ張ることで、ＧＰＳ基板２０をフロート内部の取付位置に近づけて固定する構成とした。このため、従来のようにフロートを裏返す等の作業が不要となり、作業時間の短縮に繋がる。
【００２３】
なお、上記実施の形態では、取付具３２の紐支持部３２ａに取付紐３１を通してから、取付具３２をフロート１０に固定するようにしたが、以下のようにしてもよい。すなわち、取付具３２をフロート１０に固定すると共に、取付紐３１の一端部３１ａにコブ３５を形成した後、取付紐３１の他端部３１ｂを筒状部材３３、取付具３２の紐支持部３２ａ、筒状部材３３の順に通すようにしてもよい。
【００２４】
また、ＧＰＳ基板２０をフロート１０内部に固定するための固定部１２をフロート開口部１１の周囲に設けた穴で構成したので、構成が単純で安価に構成できる。
【００２５】
また、ＧＰＳ基板２０に対して筒状部材３３を固定するにあたり、紐支持部３２ａの位置とフロート１０の固定部１２の位置とに基づいた角度で、ＧＰＳ基板２０に対して筒状部材３３を固定するので、ＧＰＳ基板２０が使用時に水平姿勢となるようにフロート内部に固定できる。
【００２６】
なお、本実施の形態で取り付けられる基板として、ここではＧＰＳアンテナ部等が搭載されたＧＰＳ基板２０を例に挙げたが、これに限られたものではなく、少なくとも通信用部品が搭載された基板であればよい。
【００２７】
また、上記実施の形態では、ＧＰＳ基板２０の取り付けに適用した例を説明したが、同様の方法でＧＰＳに取り付けるケーブルの配線もフロートを裏返すことなく取り付けることができる。
【符号の説明】
【００２８】
１  ブイ用フロート、１０  フロート、１１  フロート開口部、１２  固定部、２０  ＧＰＳ基板、３０  固定装置、３１  取付紐、３１ａ  一端部、３１ｂ  他端部、３２  取付具、３２ａ  紐支持部、３３  筒状部材、３４  固定部材、３５  コブ。
【図１】
2018031653.tif 000003
【図２】
2018031653.tif 000004
【図３】
2018031653.tif 000005
【図４】
2018031653.tif 000006